(57)【要約】【課題】階段の意匠上の自由度をより向上させて、設計時の顧客の選択肢を拡げる。【解決手段】階段セットは、建物の基準寸法であるモジュールに基づいてそれぞれ形成され、なおかつ互いに組み合わせ自在な直階段ユニット、廻り階段ユニット及び踊り場ユニットを少なくとも１つずつ備えている。これにより、各ユニットを組み合わせることで従来よりも多岐に亘る意匠の階段を組み立てることが可能である。したがって、階段の意匠上の自由度を高めることができ、設計時の顧客の選択肢を拡げることができる。【選択図】図１
2014025334.tif 000002
【特許請求の範囲】
【請求項１】
建物の基準寸法であるモジュールに基づいてそれぞれ形成され、なおかつ互いに組み合わせ自在な直階段ユニット、廻り階段ユニット及び踊り場ユニットを少なくとも１つずつ備えることを特徴とする階段セット。
【請求項２】
請求項１記載の階段セットにおいて、
前記直階段ユニットは、各段板の奥行きが全て同じである第一直階段ユニットと、最上段以外の段板が前記第一直階段ユニットの各段板の奥行きと同じであり、前記最上段の段板が前記第一直階段ユニットの各段板の奥行き以下である第二直階段ユニットとを含み、
前記第二直階段ユニットは、前記第一直階段ユニット、前記廻り階段ユニット及び前記踊り場ユニットのいずれか１つの上部に連結されるとともに上階の床に連結されることを特徴とする階段セット。
【請求項３】
請求項２記載の階段セットにおいて、
前記第一直階段ユニット、前記廻り階段ユニット及び前記踊り場ユニットには、直上に配置される前記ユニットを支えるための載置部が設けられていることを特徴とする階段セット。
【請求項４】
請求項１〜請求項３のいずれか一項に記載の階段セットにおいて、
前記直階段ユニット、廻り階段ユニット及び踊り場ユニットのうち、最下位に配置される前記ユニットには、高さ調整用の調整部材が設けられていることを特徴とする階段セット。
【請求項５】
建物の基準寸法であるモジュールに基づいてそれぞれ形成され、なおかつ互いに組み合わせ自在な直階段ユニット、廻り階段ユニット及び踊り場ユニットを少なくとも１つずつ備える階段セットから、少なくとも２つ以上の前記ユニットを組み合わせ、躯体内に設置することにより階段を施工することを特徴とする階段の施工方法。
【請求項６】
請求項５記載の階段の施工方法において、
前記直階段ユニットは、各段板の奥行きが全て同じである第一直階段ユニットと、最上段以外の段板が前記第一直階段ユニットの各段板の奥行きと同じであり、前記最上段の段板が前記第一直階段ユニットの各段板の奥行き以下である第二直階段ユニットとを含み、
前記第二直階段ユニットは、前記第一直階段ユニット、前記廻り階段ユニット及び前記踊り場ユニットのいずれか１つの上部に連結されるとともに上階の床に連結されることを特徴とする階段の施工方法。
【請求項７】
請求項６記載の階段の施工方法において、
前記第一直階段ユニット、前記廻り階段ユニット及び前記踊り場ユニットには、直上に配置される前記ユニットを支えるための載置部が設けられていることを特徴とする階段の施工方法。
【請求項８】
請求項５〜請求項７のいずれか一項に記載の階段の施工方法において、
前記直階段ユニット、廻り階段ユニット及び踊り場ユニットのうち、最下位に配置される前記ユニットには、高さ調整用の調整部材が設けられていることを特徴とする階段の施工方法。
【請求項９】
請求項５〜請求項８のいずれか一項に記載の階段の施工方法において、
前記躯体における階段が設置される部分の幅は、前記ユニットの幅よりも大きく形成されており、
前記躯体内に前記ユニットを設置し、前記躯体と前記ユニットとの間に形成された隙間に対して壁パネルを挿入することを特徴とする階段の施工方法。
【請求項１０】
請求項９記載の階段の施工方法において、
前記壁パネルと前記ユニットとの間には、床に設置された巾木と略同じ厚みの階段巾木が設けられ、
前記躯体内に設置された前記ユニットの各段板の上面には、化粧段板が重ねられていることを特徴とする階段の施工方法。
【請求項１１】
請求項９又は請求項１０記載の階段の施工方法において、
前記直階段ユニットは、２つ分の前記モジュールを基準として形成された長階段ユニットを含み、
前記躯体は、前記モジュールを基準とした間隔で配置された複数の柱を含み、
前記長階段ユニットと、当該長階段ユニットの直上に配置される前記ユニットとの接合部分において、前記直上に配置される前記ユニットが前記柱の幅の略半分以上重なるように、位置調整するための受け材が、前記上階の床と前記直上に配置される前記ユニットとの間に介在していることを特徴とする階段の施工方法。
【請求項１２】
請求項５〜請求項１１のいずれか一項に記載の階段の施工方法において、
前記躯体内に前記ユニットを設置する際には、前記ユニットを支える支持部材が前記躯体内に配置され、前記ユニットが前記躯体に固定されると前記支持部材を取り除くことを特徴とする階段の施工方法。
【発明の詳細な説明】
【技術分野】
【０００１】
本発明は、階段セット及び階段の施工方法に関する。
【背景技術】
【０００２】
従来、階段を建設する際においては、踊り場ユニットや階段ユニットを予め工場で製造しておき、それらのユニットを現場で組み付けることで、現場での作業性を高めた技術が知られている（例えば特許文献１参照）。
【先行技術文献】
【特許文献】
【０００３】
【特許文献１】特開２０１０−１０６６３７号公報
【発明の概要】
【発明が解決しようとする課題】
【０００４】
しかしながら、踊り場ユニットや階段ユニットだけでは、階段自体の意匠上の自由度が狭まってしまい、顧客の要望を満たしにくいのが実状である。
このため、本発明は、階段の意匠上の自由度をより向上させて、設計時の顧客の選択肢を拡げることである。
【課題を解決するための手段】
【０００５】
請求項１に記載の発明に係る階段セットは、例えば図１，図２に示すように、
建物の基準寸法であるモジュールに基づいてそれぞれ形成され、なおかつ互いに組み合わせ自在な直階段ユニット（第一直階段ユニット１０、第二直階段ユニット４０）、廻り階段ユニット２０及び踊り場ユニット３０を少なくとも１つずつ備えることを特徴としている。
【０００６】
請求項１記載の発明によれば、互いに組み合わせ自在な直階段ユニット（第一直階段ユニット１０、第二直階段ユニット４０）、廻り階段ユニット２０及び踊り場ユニット３０を少なくとも１つずつ備えているので、これらを組み合わせることで従来よりも多岐に亘る意匠の階段１を組み立てることが可能である。したがって、意匠上の自由度を高めることができ、設計時の顧客の選択肢を拡げることができる。
【０００７】
請求項２記載の発明は、請求項１記載の階段セットにおいて、例えば図１，図２に示すように、
前記直階段ユニットは、各段板１２の奥行きが全て同じである第一直階段ユニット１０と、最上段以外の段板４２が前記第一直階段ユニット１０の各段板１２の奥行きと同じであり、前記最上段の段板４２が前記第一直階段ユニットの各段板１２の奥行き以下である第二直階段ユニット４０とを含み、
前記第二直階段ユニット４０は、前記第一直階段ユニット１０、前記廻り階段ユニット２０及び前記踊り場ユニット３０のいずれか１つの上部に連結されるとともに上階の床１００に連結されることを特徴としている。
【０００８】
請求項２記載の発明によれば、第一直階段ユニット１０の全ての段板１２及び第二直階段ユニット４０の最上段以外の段板４２がいずれも同じ奥行きであるので、段板１２，４２の均一性を確保することができる。そして、上階の床１００に連結される第二直階段ユニット４０においては、最上段の段板４２の奥行きが他の段板の奥行きより小さくとも床１００と連続するために所定の奥行きを確保することができる。
【０００９】
請求項３記載の発明は、請求項２記載の階段セットにおいて、例えば図１，図３，図４に示すように、
前記第一直階段ユニット１０、前記廻り階段ユニット２０及び前記踊り場ユニット３０には、直上に配置される前記ユニット１０〜４０を支えるための載置部１４，２４，３３が設けられていることを特徴としている。
【００１０】
請求項３記載の発明によれば、直上に配置される他のユニット１０〜４０を支えるための載置部１４，２４，３３が、第一直階段ユニット１０、廻り階段ユニット２０及び踊り場ユニット３０に設けられているので、組み立て時の位置合わせが容易となり、組み立て作業の効率化を図ることができる。
【００１１】
請求項４記載の発明は、請求項１〜請求項３のいずれか一項に記載の階段セットにおいて、例えば、図１１に示すように、
前記直階段ユニット（第一直階段ユニット１０、第二直階段ユニット４０）、廻り階段ユニット２０及び踊り場ユニット３０のうち、最下位に配置される前記ユニットには、高さ調整用の調整部材６３が設けられていることを特徴としている。
【００１２】
請求項４記載の発明によれば、高さ調整用の調整部材６３が最下位に配置されるユニットに取り付けられているので、この調整部材６３を着脱したり、調整部材６３自体の高さを調整したりすることで、階段１の高さを調整することができる。これにより、異なる厚みの化粧段板６１，６２を段板１２に個別に取り付ける場合においても、上階の床１００と化粧段板６１，６２とを面一に配置することができる。
【００１３】
請求項５記載の発明に係る階段の施工方法は、例えば図１，図２に示すように、
建物の基準寸法であるモジュールに基づいてそれぞれ形成され、なおかつ互いに組み合わせ自在な直階段ユニット（第一直階段ユニット１０、第二直階段ユニット４０）、廻り階段ユニット２０及び踊り場ユニット３０を少なくとも１つずつ備える階段セットから、少なくとも２つ以上の前記ユニット１０〜４０を組み合わせ、躯体２内に設置することにより階段１を施工することを特徴としている。
【００１４】
請求項５記載の発明によれば、請求項１記載の発明と同等の作用効果を奏することができる。
【００１５】
請求項６記載の発明は、請求項５記載の階段の施工方法において、例えば図１，図２に示すように、
前記直階段ユニットは、各段板１２の奥行きが全て同じである第一直階段ユニット１０と、最上段以外の段板４２が前記第一直階段ユニット１０の各段板１２の奥行きと同じであり、前記最上段の段板４２が前記第一直階段ユニット１０の各段板１２の奥行き以下である第二直階段ユニット４０とを含み、
前記第二直階段ユニット４０は、前記第一直階段ユニット１０、前記廻り階段ユニット２０及び前記踊り場ユニット３０のいずれか１つの上部に連結されるとともに上階の床１００に連結されることを特徴としている。
【００１６】
請求項６記載の発明によれば、請求項２記載の発明と同等の作用効果を奏することができる。
【００１７】
請求項７記載の発明は、請求項６記載の階段の施工方法において、例えば図１，図３，図４に示すように、
前記第一直階段ユニット１０、前記廻り階段ユニット２０及び前記踊り場ユニット３０には、直上に配置される前記ユニット１０〜４０を支えるための載置部１４，２４，３３が設けられていることを特徴としている。
【００１８】
請求項７記載の発明によれば、請求項３記載の発明と同等の作用効果を奏することができる。
【００１９】
請求項８記載の発明は、請求項５〜請求項７のいずれか一項に記載の階段セットにおいて、例えば図１１に示すように、
前記直階段ユニット（第一直階段ユニット１０、第二直階段ユニット４０）、廻り階段ユニット２０及び踊り場ユニット３０のうち、最下位に配置される前記ユニット１０〜４０には、高さ調整用の調整部材６３が設けられていることを特徴としている。
【００２０】
請求項８記載の発明によれば、請求項４記載の発明と同等の作用効果を奏することができる。
【００２１】
請求項９記載の発明は、請求項５〜請求項８のいずれか一項に記載の階段の施工方法において、例えば図２，図６，図７に示すように、
前記躯体２における階段１が設置される部分の幅は、前記ユニット１０〜４０の幅よりも大きく形成されており、
前記躯体２内に前記ユニット１０〜４０を設置し、前記躯体２と前記ユニット１０〜４０との間に形成された隙間に対して壁パネル３を挿入することを特徴としている。
【００２２】
ここで、先に壁パネルを設置してから各ユニットを組み立てる場合には、壁パネルによって空間が仕切られているので各ユニットを前方或いは上方から設置箇所にはめ込む必要がある。このため、壁パネルが傷ついてしまうおそれがある。傷ついた場合、その箇所は露出し見栄えが損なわれる。
一方、請求項９記載の発明のように、躯体２内にユニット１０〜４０を設置し、躯体２とユニット１０〜４０との間に形成された隙間に対して壁パネル３を挿入するのであれば、挿入時に壁パネル３が傷ついたとしてもその部分は各ユニット１０〜４０によって覆われることになるので、見栄えが損なわれにくくなる。
【００２３】
請求項１０記載の発明は、請求項９記載の階段の施工方法において、例えば図１６に示すように、
前記壁パネル３と前記ユニット１０〜４０との間には、床に設置された巾木７０と略同じ厚みの階段巾木７１が設けられ、
前記躯体２内に設置された前記ユニット１０〜４０の各段板１２，２１，３１，４２の上面には、化粧段板６１，６２が重ねられていることを特徴としている。
【００２４】
請求項１０記載の発明によれば、壁パネル３と各ユニット１０〜４０との間に、床に設置された巾木７０と略同じ厚みの階段巾木７１が設けられているので、巾木７０と階段巾木７１との厚みを均一にすることができ、統一感を与えることができる。
また、化粧段板６１や階段巾木７１が各ユニット１０〜４０とは別体であるので、化粧段板６１や階段巾木７１の色合いを調整することも容易である。この点においても、巾木７０との色味を容易に合わせることができ、より一層の統一感を与えることができる。
【００２５】
請求項１１記載の発明は、請求項９又は請求項１０記載の階段の施工方法において、例えば図１７に示すように、
前記直階段ユニットは、２つ分の前記モジュールＭを基準として形成された長階段ユニット１０ｃを含み、
前記躯体２は、前記モジュールＭを基準とした間隔で配置された複数の柱８２を含み、
前記長階段ユニット１０ｃと、当該長階段ユニット１０ｃの直上に配置される前記ユニット１０〜４０との接合部分において、前記直上に配置される前記ユニット１０〜４０が前記柱８２の幅の略半分以上重なるように、位置調整するための受け材８０が、前記上階の床１００と前記直上に配置される前記ユニット１０〜４０との間に介在していることを特徴としている。
【００２６】
請求項１１記載の発明によれば、受け材８０によって、前記直上に配置されるユニット１０〜４０が柱８２の幅の略半分以上重なるように配置されているので、前記直上に配置されるユニット１０〜４０に対する釘打ちによる割れを抑制することができる。
【００２７】
請求項１２記載の発明は、請求項５〜請求項１１のいずれか一項に記載の階段の施工方法において、例えば図５に示すように、
前記躯体２内に前記ユニット１０〜４０を設置する際には、前記ユニット１０〜４０を支える支持部材５０が前記躯体２内に配置され、前記ユニット１０〜４０が前記躯体２に固定されると前記支持部材５０を取り除くことを特徴としている。
【００２８】
請求項１２記載の発明によれば、ユニット１０〜４０が躯体２に固定されると、支持部材５０が取り除かれるので、支持部材５０を繰り返し使用することができる。
【発明の効果】
【００２９】
本発明によれば、階段の意匠上の自由度をより向上させることができ、設計時の顧客の選択肢を拡げることが可能である。
【図面の簡単な説明】
【００３０】
【図１】本実施形態に係る階段のレイアウトの一例を示す側面図である。
【図２】図１の階段の上面図である。
【図３】本実施形態に係る廻り階段ユニットの概略構成を示す斜視図である。
【図４】本実施形態に係る踊り場ユニットの概略構成を示す斜視図である。
【図５】本実施形態に係る第一直階段ユニットを支持部材で支持した状態を示す斜視図である。
【図６】本実施形態に係る壁パネル設置前の状態を示す斜視図である。
【図７】本実施形態に係る壁パネル設置後の状態を示す斜視図である。
【図８】本実施形態に係る階段の変形例を示す上面図である。
【図９】本実施形態に係る階段の変形例を示す上面図である。
【図１０】本実施形態に係る各ユニットに対して３６ｍｍ厚の化粧段板を取り付けた状態を示す説明図である。
【図１１】本実施形態に係る高さ調整用の調整部材を用いた状態で、３０ｍｍ厚の化粧段板を各ユニットに取り付けた状態を示す説明図である。
【図１２】本実施形態に係る最下位に配される第一直階段ユニットに対する調整部材の取り付け位置を示す斜視図である。
【図１３】本実施形態に係る調整部材の変形例を示す斜視図である。
【図１４】本実施形態に係る調整部材の第二の変形例を示す斜視図である。
【図１５】従来の一般的な階段のささら桁を示す斜視図である。
【図１６】本実施形態の階段に対して階段巾木を用いた状態を示す斜視図である。
【図１７】本実施形態に係る長階段ユニットと第一直階段ユニットとを組み合わせて形成された階段の概略構成を示す説明図であり、（ａ）は上面図、（ｂ）は側面図である。
【発明を実施するための形態】
【００３１】
以下、図面を参照して本発明の実施の形態について説明する。
図１は本実施形態に係る階段のレイアウトの一例を示す側面図であり、図２は図１の階段の上面図である。
図１及び図２に示すように、階段１は基準寸法であるモジュールＭに基づいて組み立てられた躯体２内に建て込まれている。躯体２と階段１との間には壁パネル３が介在している。
ここで、モジュールとは、建造物のあらゆる部分を一定の大きさの倍数関係に整えようとするときの基準となる寸法のことをいい、例えば１モジュールを基準寸法とすると、１Ｍ（モジュール）の長さとして、８００ｍｍ，９００ｍｍ，９１０ｍｍ，１０００ｍｍなどが使用される。本実施の形態においては、１Ｍ＝９１０ｍｍに設定されている。そして、躯体２においては、当該躯体２をなす角材４の中心線間の距離が１モジュールとなっている。
【００３２】
そして、階段１は下から第一直階段ユニット１０、廻り階段ユニット２０、踊り場ユニット３０及び第二直階段ユニット４０という順で各ユニット１０〜４０が組み立てられることで形成されている。これら各ユニット１０〜４０もモジュールＭに基づいて形成されている。
【００３３】
第一直階段ユニット１０の左右方向の長さは、モジュールＭを基準に設定されている。一方、第一直階段ユニット１０の幅方向の長さは、躯体２をなす一対の角材４の内側の幅（角材４の一本分の幅だけモジュールＭから差し引いた長さ）から壁パネル３の厚み分小さくした値に設定されている。これにより、躯体２内に第一直階段ユニット１０を設置した後には、躯体２と第一直階段ユニット１０との間に壁パネル３の厚み分の隙間が形成される。
【００３４】
第一直階段ユニット１０は、側板をなす左右のささら桁（図１では片方のみ図示）１１と、これらささら桁１１間に、段階的に設けられ踏み板となる段板１２と、これら段板１２の間及び最下段の段板１２の下方に設けられた蹴込み板１３とを備えている。
ささら桁１１の上端部には、直上に配置される廻り階段ユニット２０を支持するための載置部１４が形成されている。
ここで、第一直階段ユニット１０の段板１２の奥行きｈ１は全て同じに設定されている。奥行きｈ１が、第一直階段ユニット１０の幅方向の長さの整数分の１とすると、その整数倍の段数の段板１２はいずれも同じ奥行きｈ１となる。しかしながら、設計上或いは規格上、割り切れる奥行きｈ１にできない場合には、全ての段板１２の奥行きｈ１を同じにし、最上段の段板１２をモジュールＭからはみ出すようにしてもよい。図１及び図２においては、最上段の段板１２がモジュールＭからはみ出た場合を例示している。
【００３５】
図３は、廻り階段ユニット２０の概略構成を示す斜視図である。図３に示すように、廻り階段ユニット２０は、一角を中心に扇状に広がるように段階的に設けられ踏み板となる段板２１と、これら段板２１の間及び最下段の段板２１の下方に設けられた蹴込み板２２と、段板２１及び蹴込み板２２を支持する支持台２３とを備えている。
支持台２３の上端部には、直上に配置される踊り場ユニット３０を支持するための載置部２４が形成されている。
廻り階段ユニット２０の左右方向の長さ及び前後方向の長さは、躯体２をなす一対の角材４の内側の幅（角材４の一本分の幅だけモジュールＭから差し引いた長さ）から壁パネル３の厚み分小さくした値に設定されている。これにより、躯体２内に廻り階段ユニット２０を設置した後には、躯体２と廻り階段ユニット２０との間に壁パネル３の厚み分の隙間が形成される。
【００３６】
図４は、踊り場ユニット３０の概略構成を示す斜視図である。図４に示すように、踊り場ユニット３０は、略正方形状に形成され踏み板となる段板３１と、段板３１の一端部下方に設けられた蹴込み板３２と、段板３１における蹴込み板３２に隣接する一辺に設けられ、直上に配置される第二直階段ユニット４０を支持するための載置部３３とを備えている。
踊り場ユニット３０の左右方向の長さは、角材４の半分の幅だけモジュールＭから差し引き、さらに壁パネル３の厚み分小さくした値に設定されている。一方、踊り場ユニット３０の前後方向の長さは、角材４の幅だけモジュールＭから差し引き、さらに壁パネル３の厚み分小さくした値に設定されている。これにより、躯体２内に踊り場ユニット３０を設置した後には、躯体２と踊り場ユニット３０との間に壁パネル３の厚み分の隙間が形成される。
【００３７】
第二直階段ユニット４０は、図１及び図２に示すように、側板をなす左右のささら桁（図１では片方のみ図示）４１と、これらささら桁４１間に、段階的に設けられ踏み板となる段板４２と、これら段板４２の間及び最下段の段板４２の下方に設けられた蹴込み板４３とを備えている。
ここで、第二直階段ユニット４０の最上段の段板４２以外の段板４２は第一直階段ユニット１０の各段板１２の奥行きｈ１と同じであり、最上段の段板４２は第一直階段ユニット１０の各段板１２の奥行きｈ１以下となっている。第二直階段ユニット４０は、最上段の段板４２が上階の床１００に連続するように連結されるものであるため、この最上段の段板４２の奥行きが小さくとも、床１００と連続することにより奥行きｈ１よりも広い踏み幅を確保することができる。
第二直階段ユニット４０の左右方向の長さは、モジュールＭを基準に設定されている。一方、第二直階段ユニット４０の幅方向の長さは、躯体２をなす一対の角材４の内側の幅（角材４の一本分の幅だけモジュールＭから差し引いた長さ）から壁パネル３の厚み分小さくした値に設定されている。これにより、躯体２内に第二直階段ユニット４０を設置した後には、躯体２と第二直階段ユニット４０との間に壁パネル３の厚み分の隙間が形成される。
【００３８】
次に、階段１の施工方法について説明する。
作業者は、建物全体の躯体２を組み立てた後、階段１の設置箇所に第一直階段ユニット１０を組み付ける。このとき、作業者は、図５に示すように、第一直階段ユニット１０を支持する支持部材５０を躯体２内に配置する。なお、図５においては、角柱状の支持部材５０が第一直階段ユニット１０の一方の上端部のみを支えている状態を図示しているが、第一直階段ユニット１０の他方の上端部を支える支持部材５０も設けられている。
【００３９】
次に、作業者は、第一直階段ユニット１０の載置部１４に対して廻り階段ユニット２０を載置する。このとき、作業者は、図示しない支持部材を躯体２内に配置して、廻り階段ユニット２０が安定するように、例えば載置部１４で支持されていない側の廻り階段ユニット２０の端部を当該支持部材によって支持する。
【００４０】
そして、作業者は、廻り階段ユニット２０の載置部２４に対して踊り場ユニット３０を載置する。このときにおいても、作業者は、図示しない支持部材を躯体２内に配置して、踊り場ユニット３０が安定するように、例えば載置部２４で支持されていない側の踊り場ユニット３０の端部を当該支持部材によって支持する。
【００４１】
その後、作業者は、踊り場ユニット３０の載置部３３に第二直階段ユニット４０を載置する。このとき、作業者は、第二直階段ユニット４０の上端部と、上階の床１００の下に設けられている梁１０１とを連結し、両者を固定する。
【００４２】
各ユニット１０〜４０の仮組みが完了すると、図６に示すように階段１側から躯体２が露出した状態となっている。ここで、上述したように各ユニット１０〜４０と躯体２との間には壁パネル３の厚み分だけ隙間が形成されているので、この隙間に対して作業者は例えば石膏ボードなどの壁パネル３を上から差し込み、図７に示すように躯体２を壁パネル３によって覆う。
ここで、第一直階段ユニット１０及び第二直階段ユニット４０の両側に壁パネル３を挿入するときは、階段ユニット１０，２０を一側に寄せた状態で隙間を大きくしてから他側に壁パネル３を挿入した後に、階段ユニット１０，２０をこの壁パネル３側に寄せて一側にもう１つの壁パネル３を挿入すれば、壁パネル３を挿入しやすく傷つけにくい。
なお、壁パネル３は、石膏ボードや構造用合板等の建築物の壁部分を形成する面材であり、その用途や素材・厚みは限定されない。特に、準耐火建物等の連続した耐火壁が求められる場合などは、壁パネル３を耐火性能のある石膏ボードとすれば、簡易な方法で容易に連続した耐火壁を施工できる。
【００４３】
その後、作業者は、各ユニット１０〜４０を、壁パネル３を介して躯体２にビス留めすることで、各ユニット１０〜４０と壁パネル３とを躯体２に固定する。固定後、作業者は、各ユニット１０〜３０を支持していた支持部材５０を取り除く。
これにより階段１の組み立てが完了する。
【００４４】
このように、階段１は、第一直階段ユニット１０、廻り階段ユニット２０、踊り場ユニット３０及び第二直階段ユニット４０から構成されている。第一直階段ユニット１０、廻り階段ユニット２０、踊り場ユニット３０及び第二直階段ユニット４０は互いに組み合わせ自在であり、これら各ユニット１０〜４０を少なくとも１つずつ備えた階段セットとしてセット化されている。階段１の組み立て前においては、階段セットから、階段１の形状に応じて必要なものを選別して組み立てるようになっている。
【００４５】
そして、階段セットに備わる各ユニット１０〜４０の組み合わせを変更すれば、従来よりも多岐に亘る意匠の階段１を組み立てることが可能である。
図８及び図９は、階段セットから形成可能な階段のその他の例を示す上面図である。図８においては、下から、廻り階段ユニット２０、第一直階段ユニット１０及び第二直階段ユニット４０という順で組み立てられた階段１Ａを示している。また、図９においては、廻り階段ユニット２０を４つ組み立てることで、螺旋状に形成された階段１Ｂを示している。
このように、第一直階段ユニット１０、廻り階段ユニット２０、踊り場ユニット３０及び第二直階段ユニット４０を少なくとも１つずつ備えた階段セットを用いれば、階段自体の意匠上の自由度を高めることができ、設計時の顧客の選択肢を拡げることができる。
【００４６】
また、第一直階段ユニット１０の全ての段板１２及び第二直階段ユニット４０の最上段以外の段板４２がいずれも同じ奥行きｈ１であるので、段板１２，４２の均一性を確保することができる。そして、上階の床１００に連結される第二直階段ユニット４０においては、最上段の段板４２の奥行きが他の段板１２，４２の奥行きより小さくとも床１００と連続するために所定の奥行きを確保することができる。
【００４７】
また、直上に配置される他のユニット１０〜４０を支えるための載置部１４，２４，３３が、第一直階段ユニット１０、廻り階段ユニット２０及び踊り場ユニット３０に設けられているので、組み立て時の位置合わせが容易となり、組み立て作業の効率化を図ることができる。
【００４８】
また、階段１をなすユニット１０〜４０を躯体２内に設置し、躯体２とユニット１０〜４０との間に形成された隙間に対して壁パネル３を挿入するのであれば、挿入時に壁パネル３が傷ついたとしてもその部分は各ユニット１０〜３０によって覆われることになるので、見栄えが損なわれにくくなる。
また、ユニット１０〜４０が躯体２に固定されると、支持部材５０が取り除かれるので、支持部材５０を繰り返し使用することができる。
また、各ユニット１０〜４０は、工場で接着材を用いてモノコック化されているために、現場で組む必要がない。このため、各ユニット１０〜４０を住宅に組み付けたとしても、音なりなどの階段にありがちな不具合を抑制することができる。
【００４９】
なお、上記実施形態では、直階段ユニットに、種類の異なる第一直階段ユニット１０と第二直階段ユニット４０とが含まれている場合を例示して説明したが、設計上、全ての段板１２，４２の奥行きを均一にできるのであれば、両者を統合して１つの直階段ユニットとすることも可能である。
また、上記実施形態では、角柱状の支持部材５０を例示して説明したが、各ユニット１０〜４０を支持できるのであればどのような形状でも構わない。例えば枠状の支持部材などが挙げられる。
【００５０】
また、各ユニット１０〜４０においては、各段板１２，２１，３１，４２に対して化粧段板が重ねられる場合もある。一般的に化粧段板としては３０ｍｍ厚と、３６ｍｍ厚の二種類が流通している。図１０は、３６ｍｍ厚の化粧段板６１を各ユニットに取り付けた状態を示す説明図である。図１０では、最上位と最下位のユニットのいずれもが第一直階段ユニット１０である場合を例示している。最下位の第一直階段ユニット１０は、下階の床２００に対して直接載置されている。他方、最上位の第一直階段ユニット１０の最上段の段板１２と、上階の床１００に敷設されるフローリング材１０２とには、所定の段差が設けられている。この段差は３６ｍｍの深さに設定されているので当該段差を埋めるように最上段の段板１２に化粧段板６１が重ねられると、化粧段板６１とフローリング材１０２とが面一となる。
このままの状態で、３０ｍｍ厚の化粧段板６２を最上段の段板１２に重ねると、フローリング材１０２とは面一とならず段差が生じてしまう。
【００５１】
このため、第一直階段ユニット１０、廻り階段ユニット２０及び踊り場ユニット３０のうち、最下位に配置される前記ユニット１０〜３０には、高さ調整用の調整部材を設けることが好ましい。
図１１は、高さ調整用の調整部材を用いてから、３０ｍｍ厚の化粧段板６２を各ユニットに取り付けた状態を示す説明図である。図１１に示すように、最下位の第一直階段ユニット１０の下部には、板状の調整部材６３が設けられている。これにより、最上位の第一直階段ユニット１０の最上段の段板１２と、フローリング材１０２との段差が底上げされる。これにより段差の深さは３０ｍｍとなるので、当該段差を埋めるように最上段の段板１２に化粧段板６２が重ねられると、化粧段板６２とフローリング材１０２とが面一となる。
【００５２】
図１２は、最下位に配される第一直階段ユニット１０に対する調整部材６３の取り付け位置を示す斜視図である。第一直階段ユニット１０のささら桁１１の下面と、最下段の蹴込み板１３の背面に付けられた補強材１７とに対して、板状の調整部材６３が釘６４によって固定されている。第一直階段ユニット１０の出荷時においては、調整部材６３が取り付けられた状態である。現場で使用される化粧段板が３６ｍｍ厚の化粧段板６１と決定された場合には調整部材６３が取り付けられたままの状態で第一直階段ユニット１０を使用する。他方、３０ｍｍ厚の化粧段板６２に決定された場合には調整部材６３を取り外して第一直階段ユニット１０を使用する。
これにより、化粧段板６１，６２の厚さに応じて、階段１全体の高さを調整することができ、いずれの化粧段板６１，６２であっても上階のフローリング材１０２と階段１とを面一にすることができる。
【００５３】
なお、調整部材６３としては板状でなくても図１３に示すような棒状の調整部材６３ａであってもよい。この場合、調整部材６３ａを切断して任意の長さに調整することができるので、高さ調整の自由度を高めることができる。また、図１４に示すように最下段の蹴り込み板１３の下端部よりもささら桁１１ａを下方に延出させ、当該ささら桁１１ａの延出部を切断して延出量を調整することで、高さ調整をすることも可能である。
なお、板状の調整部材６３に対して鉋がけなどを施すことにより厚さを調整することでも任意の厚さに調整することができるため、高さ調整の自由度を高めることは可能である。
【００５４】
また、図１５は、従来の一般的な階段１Ｂのささら桁１１ｂを示す斜視図である。このような階段１Ｂの場合、段板と化粧段板が一つの板材１２ｂによって形成されているために、この板材１２ｂをささら桁１１ｂで支えなければならず、ささら桁１１ｂがどうしても幅広になってしまうのが実状である。ささら桁１１ｂが幅広であると巾木７０から突出してしまい場合が生じてしまい、統一感のない印象を与える一因となってしまう。
【００５５】
一方、本実施形態の階段１であればユニット化されているため、例えば第一直階段ユニット１０の場合、ささら桁１１が段板１２の内側に収められている。このため、図１６に示すように、巾木７０との統一感を与えるには当該巾木７０と連続する階段巾木７１が新たに必要となる。この階段巾木７１は、下階の床２００に設置された巾木７０と略同じ厚みを有しており、壁パネル３と第一直階段ユニット１０との間に配置されている。また、躯体２内に設置された第一直階段ユニット１０の各段板１２の上面には、化粧段板６１が重ねられている。
これにより、巾木７０と階段巾木７１との厚みが均一となり、統一感を与えることができる。ここで、階段巾木７１と巾木７０とが略同一の厚みとは、最大で１０ｍｍ程度の差を包含する厚みである。具体的に、４ｍｍ厚の巾木７０に対しては６ｍｍ厚の階段巾木７１が用いられ、７ｍｍ厚の巾木７０に対しては１２ｍｍ厚の階段巾木７１が用いられ、７ｍｍ厚の巾木７０に対しては９ｍｍ厚の階段巾木７１が用いられる場合がある。
また、化粧段板６１や階段巾木７１が第一直階段ユニット１０とは別体であるので、化粧段板６１や階段巾木７１の色合いを調整することも容易である。この点においても、巾木７０との色味を容易に合わせることができ、より一層の統一感を与えることができる。
なお、ここでは、第一直階段ユニット１０を例示して説明したが、上記の構成においては他のユニット２０〜４０に対しても適用可能である。
【００５６】
また、図１７に示すように、直階段ユニットとして、２つ分のモジュールＭを基準として形成された長階段ユニット１０ｃと、１つ分の第一直階段ユニット１０とを組み合わせて階段１Ｃを形成する場合もある。図１７（ａ）は、長階段ユニット１０ｃと第一直階段ユニット１０とを組み合わせて形成された階段１Ｃの概略構成を示す説明図であり、（ａ）は上面図、（ｂ）は下面図である。なお、長階段ユニット１０ｃにおいては第一直階段ユニット１０と長さが異なるだけであるため、対応する部材には同一の符号を付してその説明を省略する。
【００５７】
図１７に示すように、躯体２には、階段１Ｃを挟む一対の壁部８１が設けられている。この壁部８１の内部には、モジュールＭを基準として配置された複数の柱８２が設けられている。
長階段ユニット１０ｃの載置部１４には、第一直階段ユニット１０が載置されている。そして、上階の床１００と第一直階段ユニット１０との間には、階段１Ｃ全体を位置調整するための受け材８０が介在している。この受け材８０によって、階段１Ｃ全体が前方へと張り出すことになるため、長階段ユニット１０ｃと第一直階段ユニット１０の接合部分における第一直階段ユニット１０が柱８２の幅の略半分以上重なることになる（図１７の一点鎖線部参照）。
柱８２を介して釘が打たれることで第一直階段ユニット１０が柱８２に固定される。柱８２との重なった部分が小さいと釘打ちによって第一直階段ユニット１０が割れてしまう可能性も大きいが、上述したように柱８２の略半分以上第一直階段ユニット１０が重なっていれば、釘打ちによる割れを抑制することができる。
【符号の説明】
【００５８】
１      階段
２      躯体
３      壁パネル
１０      第一直階段ユニット（直階段ユニット、階段セット）
１０ｃ    長階段ユニット
１２      段板
１３      蹴込み板
１４      載置部
２０      廻り階段ユニット（階段セット）
２４      載置部
３０      踊り場ユニット（階段セット）
３３      載置部
４０      第二直階段ユニット（直階段ユニット、階段セット）
４２      段板
５０      支持部材
６１      化粧段板
６２      化粧段板
６３      調整部材
７０      巾木
７１      階段巾木
８０      受け材
８２      柱
１００      床
【図１】
2014025334.tif 000003
【図２】
2014025334.tif 000004
【図３】
2014025334.tif 000005
【図４】
2014025334.tif 000006
【図５】
2014025334.tif 000007
【図６】
2014025334.tif 000008
【図７】
2014025334.tif 000009
【図８】
2014025334.tif 000010
【図９】
2014025334.tif 000011
【図１０】
2014025334.tif 000012
【図１１】
2014025334.tif 000013
【図１２】
2014025334.tif 000014
【図１３】
2014025334.tif 000015
【図１４】
2014025334.tif 000016
【図１５】
2014025334.tif 000017
【図１６】
2014025334.tif 000018
【図１７】
2014025334.tif 000019